(57)【要約】      （修正有）【課題】コンテナを折り畳む際に、中仕切りも容易に折り畳むことができるとともにコンテナ内に収納可能であり、且つ、ビン類等を運搬する際にも使用できる折り畳み式の中仕切りを提供する。【解決手段】複数の物品を所定位置に配置するとともに複数の物品同士の接触を防ぐために利用されるコンテナ用中仕切り１０であって、コンテナ用中仕切りは、コンテナの開口面にコンテナ用中仕切りを固定するための固定手段１２と、固定手段の下側に位置しコンテナ開口面よりも小さい略矩形状の中枠１４を少なくとも２段備え、固定手段と中枠とが折り畳み可能な上側接続手段で接続されるとともに、少なくとも２段の中枠は、それぞれが中枠接続手段２８で接続されており、中枠は、複数の物品が入るための２以上の収納口２０を有しており、固定手段と中枠とが密着されることで、略板状に折り畳まれる。【選択図】図１
2018012520.tif 000002
【特許請求の範囲】
【請求項１】
複数の物品をコンテナ内部に入れて運搬する際に前記複数の物品を所定位置に配置するとともに該複数の物品同士の接触を防ぐために利用されるコンテナ用中仕切りであって、
当該コンテナ用中仕切りは、前記コンテナの開口面に当該コンテナ用中仕切りを固定するための固定手段と、該固定手段の下側に位置しコンテナ開口面よりも小さい略矩形状の中枠を少なくとも２段備え、
前記固定手段と中枠とが折り畳み可能な上側接続手段で接続されるとともに、前記少なくとも２段の中枠は、それぞれが折り畳み可能な中枠接続手段で接続されており、
前記中枠は、前記複数の物品が入るための２以上の収納口を有しており、
前記固定手段と前記中枠とが密着されることで、略板状に折り畳まれることを特徴とするコンテナ用中仕切り。
【請求項２】
請求項１に記載のコンテナ用中仕切りであって、
前記中枠は、前記固定手段の下側に位置する第１中枠と、該第１中枠の下側に位置する第２中枠からなり、
前記第１中枠と第２中枠は、前記中枠接続手段で接続されており、
前記第１中枠の収納口と第２中枠の収納口の間には、該第１中枠の面と第２中枠の面に対して略垂直方向に取り付けられた柔軟性を有する保護面を備え、
前記保護面のうち最も外側に位置しコンテナと接する最外側保護面には、前記第１中枠と第２中枠とが密着されると該密着される方向に対し略垂直方向へ収縮する伸縮紐が設けられており、
前記固定手段と第１中枠と第２中枠とが密着されるとともに、前記伸縮紐が収縮されることで、略板状に折り畳まれることを特徴とするコンテナ用中仕切り。
【請求項３】
請求項１および請求項２の何れかに記載のコンテナ用中仕切りであって、
前記保護面は、布、スポンジ、網、紙、ゴム、不織布のうちのいずれかを含むことを特徴とするコンテナ用中仕切り。
【請求項４】
請求項１に記載のコンテナ用中仕切りであって、
前記収納口は、略矩形型のワイヤー材料であって、
前記ワイヤー材料は、少なくとも一部に緩衝手段を備え、
前記緩衝手段は、布、スポンジ、網、紙、ゴム、不織布のうちのいずれかを含むことを特徴とするコンテナ用中仕切り。
【請求項５】
請求項１に記載のコンテナ用中仕切りであって、
前記中枠は、前記収納口の形状が略円型である穿孔板であって、
前記穿孔板は、プラスチック、木、紙、金属のうちのいずれかを含み、
前記穿孔板は、前記略円型の収納口の直径が４．０ｃｍ〜１５．０ｃｍであって、当該穿孔板の厚さが０．３ｍｍ〜３．０ｍｍであることを特徴とするコンテナ用中仕切り。
【請求項６】
請求項１から請求項５の何れかに記載のコンテナ用中仕切りであって、
前記固定手段は、コンテナの形状に応じて長さを調整自在な固定紐手段であることを特徴とするコンテナ用中仕切り。
【請求項７】
請求項１から請求項５の何れかに記載のコンテナ用中仕切りであって、
前記固定手段は、コンテナ開口面と同等の大きさ、もしくは、コンテナ開口面よりも小さく前記中枠よりも大きい略矩形状の固定枠手段であることを特徴とするコンテナ用中仕切り。
【請求項８】
請求項７に記載のコンテナ用中仕切りであって、
前記固定枠手段は、プラスチック、木、紙、金属のうちのいずれかを含むことを特徴とするコンテナ用中仕切り。
【発明の詳細な説明】
【技術分野】
【０００１】
本発明はコンテナの中仕切り、特に飲料用のビン類等を運搬するために利用する折り畳み式コンテナに使用できる中仕切りの収納技術の改良に関する。
【背景技術】
【０００２】
従来から、飲料用のビン類を運搬する際にはコンテナが利用されている。このコンテナは一般的に、ビン類同士が直接触れないようにするため運搬物（ビン類など）の大きさに合わせた中仕切りを備えており、運搬時に運搬物の破損等を防ぐ役割を果たしている。ところで、中仕切りを備えたコンテナは、運搬物を運搬する際のみに利用するため、運搬後は運搬先、あるいは出荷先に戻して保管されることとなるが、例えば段ボール箱などのように使用後に折り畳んで容積を圧縮したりすることは出来ない。そして昨今では、折り畳み式のコンテナが普及してきてはいるが、コンテナに中仕切りを有する場合には、段ボール箱や通常のコンテナ（中仕切りを有していないコンテナ）のように単純に折り畳んで収納することは困難である。
【０００３】
そこで特許文献１には、中仕切りとコンテナが一体型の折り畳み式コンテナであって、コンテナを折り畳む際に、付属の中仕切りも折り畳んでコンテナ内部に収納することが出来るコンテナの技術が開示されている。また、特許文献２には、可撓性を有するコンテナの中仕切りであって、中仕切りの底面略中央を半分に折り畳むことによりコンパクトに収納が出来るコンテナ用中仕切りの構造に関する技術が開示されている。
【先行技術文献】
【特許文献】
【０００４】
【特許文献１】特開２００１−２９４２３２
【特許文献２】特開平９−１２４０４２
【発明の概要】
【発明が解決しようとする課題】
【０００５】
しかしながら、上記特許文献１に記載の構造ではコンテナ自体を折り畳むととともにコンテナに付属している中仕切りを順番に折り畳むことにより折り畳んだコンテナの内部に中仕切りが収納される構造となっているが、コンテナの構造が複雑化してしまい、運搬準備に迅速性を有する飲料等の運搬には適していない。そして特許文献２の技術では、可撓性を有する折り畳み式の中仕切りの技術が開示されているが、そもそも部品類を収納するための簡易中仕切りであるため、飲料容器であるビン類等を運搬するための中仕切りとしての役割を果たすことは困難である。
【課題を解決するための手段】
【０００６】
本発明は、上記従来技術の課題に鑑みて行われたものであって、その目的は、コンテナを折り畳む際に、中仕切りも容易に折り畳むことができるとともに前記コンテナ内に収納可能であり、且つ、ビン類等を運搬する際にも使用できる折り畳み式の中仕切りを提供することである。
【０００７】
上記課題を解決するために、本発明に係るコンテナ用中仕切りは、
複数の物品をコンテナ内部に入れて運搬する際に前記複数の物品を所定位置に配置するとともに該複数の物品同士の接触を防ぐために利用されるコンテナ用中仕切りであって、
当該コンテナ用中仕切りは、前記コンテナの開口面に当該コンテナ用中仕切りを固定するための固定手段と、該固定手段の下側に位置しコンテナ開口面よりも小さい略矩形状の中枠を少なくとも２段備え、
前記固定手段と中枠とが折り畳み可能な上側接続手段で接続されるとともに、前記少なくとも２段の中枠は、それぞれが折り畳み可能な中枠接続手段で接続されており、
前記中枠は、前記複数の物品が入るための２以上の収納口を有しており、
前記固定手段と前記中枠とが密着されることで、略板状に折り畳まれることを特徴とする。
【０００８】
また、本発明に係るコンテナ用中仕切りは、
前記中枠は、前記固定手段の下側に位置する第１中枠と、該第１中枠の下側に位置する第２中枠からなり、
前記第１中枠と第２中枠は、前記中枠接続手段で接続されており、
前記第１中枠の収納口と第２中枠の収納口の間には、該第１中枠の面と第２中枠の面に対して略垂直方向に取り付けられた柔軟性を有する保護面を備え、
前記保護面のうち最も外側に位置しコンテナと接する最外側保護面には、前記第１中枠と第２中枠とが密着されると該密着される方向に対し略垂直方向へ収縮する伸縮紐が設けられており、
前記固定手段と第１中枠と第２中枠とが密着されるとともに、前記伸縮紐が収縮されることで、略板状に折り畳まれることを特徴とする。
【０００９】
また、本発明に係る中仕切りは、
前記保護面は、布、スポンジ、網、紙、ゴム、不織布のうちのいずれかを含むことを特徴とする。
【００１０】
また、本発明に係る中仕切りは、
前記収納口は、略矩形型のワイヤー材料であって、
前記ワイヤー材料は、少なくとも一部に緩衝手段を備え、
前記緩衝手段は、布、スポンジ、網、紙、ゴム、不織布のうちのいずれかを含むことを特徴とする。
【００１１】
また、本発明に係る中仕切りは、
前記中枠は、前記収納口の形状が略円型である穿孔板であって、
前記穿孔板は、プラスチック、木、紙、金属のうちのいずれかを含み、
前記穿孔板は、前記略円型の収納口の直径が４．０ｃｍ〜１５．０ｃｍであって、当該穿孔板の厚さが０．３ｍｍ〜３．０ｍｍであることを特徴とする。
【００１２】
また、本発明に係る中仕切りは、
前記固定手段は、コンテナの形状に応じて長さを調整自在な紐手段であることを特徴とする。
【００１３】
また、本発明に係る中仕切りは、
前記固定手段は、コンテナ開口面と同等の大きさ、もしくは、コンテナ開口面よりも小さく前記中枠よりも大きい略矩形状の固定枠手段であることを特徴とする。
【００１４】
また、本発明に係る中仕切りは、
前記固定枠手段は、プラスチック、木、紙、金属のうちのいずれかを含むことを特徴とする。
【発明の効果】
【００１５】
本発明によれば、固定手段と少なくとも２段の略矩形板状の中枠を備え、該中枠にはビン類などの運搬物を所定の位置に配置するとともに運搬物同士の接触を防ぐための２以上の収納口を備えることで、コンテナを折り畳む際に、中仕切りも容易に板状に折り畳むことができるとともに前記コンテナ内に収納可能であり、且つ、ビン類等を運搬する際にも使用できる折り畳み式のコンテナ用中仕切りを提供できる効果を奏する。
【図面の簡単な説明】
【００１６】
【図１】本発明の第１実施形態に係るコンテナ用中仕切りの概略図を示す。
【図２】本発明の第１実施形態に係るコンテナ用中仕切りのコンテナへの固定方法の概略説明図を示す。
【図３】本発明の第１実施形態に係る中仕切りがコンテナへ固定された際の概略構成図を示す。
【図４】本発明の第１実施形態に係る中仕切りに運搬物（ビン類）を収納した際の概略イメージ図を示す。
【図５】本発明の第１実施形態に係る中仕切りの収納方法についての概略説明図を示す。
【図６】本発明の第２実施形態に係る中仕切りの概略図を示す。
【図７】本発明の第２実施形態に係るコンテナ用中仕切りのコンテナへの固定方法の概略説明図を示す。
【図８】本発明の第２実施形態に係る中仕切りがコンテナへ固定された際の概略構成図を示す。
【図９】本発明の第２実施形態に係る中仕切りに運搬物（ビン類）を収納した際の概略イメージ図を示す。
【図１０】本発明の第３実施形態に係る中仕切りの概略図を示す。
【図１１】本発明の第３実施形態に係る中仕切りに運搬物（ビン類）を収納した際の概略イメージ図を示す。
【図１２】本発明の第３実施形態に係る中仕切りの補助穿孔板の概略イメージ図を示す。
【図１３】本発明の第３実施形態に係る中仕切りの補助穿孔板の概略構成図を示す。
【図１４】本発明の第４実施形態に係る中仕切りの概略図を示す。
【発明を実施するための形態】
【００１７】
以下、本発明のコンテナ用中仕切りについて図面を用いて説明するが、本発明の趣旨を超えない限り何ら以下の例に限定されるものではない。
【００１８】
＜第１実施形態＞
図１に本発明に係る実施形態のコンテナ用中仕切りを示す。同図に示すコンテナ用中仕切り１０は、コンテナに当該中仕切り１０を固定するための固定紐１２と、該固定紐１２の下側に位置し、略矩形板型であってコンテナ内部に入る大きさの第１中枠１４と、該第１中枠１４の下側に位置し、同じく略矩形板型であってコンテナ内部に入る大きさの第２中枠１６と、を備えている。また、第１中枠１４および第２中枠１６には、飲料用のビン類等を所定位置に配置させるための収納口２０を備えている。そして、第１中枠１４と第２中枠１６の４ヶ所の角（かど）には、それぞれ第１接続紐２８を備えており、該第１接続紐２８によって第１中枠１４と第２中枠１６とが接続されている。また、第１中枠１４が有する収納口２０と第２中枠１６が有する収納口２０の間には、それぞれの中枠の面（第１中枠１４の面および第２中枠１６の面）に対して略垂直方向に保護面２２を備えており、該保護面２２によって隣合う複数のビン類同士が接触するのを防ぐ役割を果たしている。
【００１９】
本発明において特徴的なことは、前記保護面２２が柔軟性を有していることである。また、保護面２２のうちコンテナと接する最も外側に位置する面に設けられた保護面２２を囲むように伸縮収納ゴム３２が設けられており、中仕切り１０を折り畳む際には前記伸縮収納ゴム３２が収縮されることで保護面２２が内側に入り込むようになっている。このように、保護面２２が柔軟性を有し、且つ、最も外側に位置する保護面２２を囲むように伸縮収納ゴム３２を備えることで、当該コンテナ用中仕切り１０の収納性を向上させている。
【００２０】
はじめに固定紐１２について説明する。固定紐１２（１２ａ、１２ｂ）は、当該コンテナ用中仕切り１０をコンテナに固定するためのものである。本実施形態におけるコンテナ用中仕切り１０では固定紐１２として固定紐１２ａと固定紐１２ｂの２本を有しており、それぞれの固定紐１２の両端は、第１中枠１４の有する角（かど）に取り付けられている。また、固定紐１２は、該固定紐１２を直線状に伸ばした際の長手方向における略中央部分に調整ストッパー２４を有しており、該調整ストッパー２４でコンテナへの固定時における固定紐１２の長さを調整出来るようになっている。このように固定紐１２に調整ストッパー２４を備えることで、コンテナの大きさが異なる場合でも、コンテナの大きさに合わせて固定紐１２の長さを調整することができ、コンテナに中仕切り１０をしっかりと固定することが可能となる。
【００２１】
ここで、中仕切り１０をコンテナへ固定する方法について説明する。図２には、本実施形態に係るコンテナ用中仕切りのコンテナへの固定方法の概略説明図を示す。図２に示すコンテナ５０は一般的な運搬用のコンテナである。そして一般的にはコンテナ５０の開口面は、例えばフタを締めるための突起等の何らかの突起物を備えていることが多く、本実施形態においては第１突起物５２、第２突起物５４、第３突起物５６、第４突起物５８を備えている。そして、中仕切り１０を使用する際は、コンテナ５０の開口面に対して略垂直方向（図２の矢印の方向）に中仕切り１０を挿入する。前述のとおり、第１中枠１４および第２中枠１６はコンテナ５０の内部に入る大きさであり、且つ、コンテナ５０の内部形状と同じ略矩形型であることから、コンテナ５０の内部にぴったりと収まる（図３を参照）。この時、２本の固定紐１２（１２ａ、１２ｂ）をコンテナ５０の有するそれぞれの突起物（５２、５４，５６、５８）に引っ掛けることで、第１中枠１４および第２中枠１６を固定する。具体的には、突起物５２と突起物５４には固定紐１２ａ（１２ａ、１２ｂ）を引っ掛けて、突起物５６と突起物５８には固定紐１２ｂを引っ掛ける。また、固定紐１２を引っ掛ける際に該固定紐１２の紐の長さを調整ストッパー２４で調整することで、コンテナ５０の内部において第１中枠１４と第２中枠１６を所定の高さに調整が可能となり、ビン類などの運搬物に応じた良好な中仕切りとしての機能を発揮することができる。ここで、本実施形態におけるコンテナ５０は突起物を４個備えているが、固定紐１２をひっかけられればこのような突起物でなくてもよく、例えばコンテナ開口面に凹部等があれば、そこへ固定紐１２をひっかけることで中仕切り１０をコンテナへ固定しても構わない。
【００２２】
次に実際のコンテナ内の中仕切り部分となる中枠について説明する。図１に示すように中枠は、前記固定紐１２（１２ａ、１２ｂ）の下側に位置する第１中枠１４と、該第１中枠１４の下側に位置する第２中枠１６から構成されている。それぞれの中枠は、略矩形型であり、コンテナ内部に収まる大きさ及び形状となっている。また、第１中枠１４と第２中枠１６は、第１接続紐２８で４ヶ所の各角（かど）が接続されている。そして、それぞれの中枠（第１中枠１４と第２中枠１６）はビン類などの運搬物を収納するための収納口２０を備えており、該収納口２０は運搬物を収納する際に、所定位置に配置させる役割を果たしている。ここで、本実施形態における収納口２０は略四角型であるが、例えば略丸型、三角形型、六角形型、八角形型であってもよく、また他の形状であっても構わない。また、収納口２０はワイヤー線（針金等）で構成されており、本実施形態におけるワイヤー線の材質は、スチールであるが、ステンレス等の他の材料でも構わない。加えて、収納口２０のワイヤー線は、ビン類などの運搬物を所定位置に配置出来れば良く、例えば０．３ｍｍ〜３．０ｍｍ程度であることが好ましく、より好ましくは、１．５ｍｍ〜１．８ｍｍ程度であることが好適である。また、第１中枠１４と第２中枠１６の間には保護面２２を備えており、該保護面２２によって、隣同士に位置するビン類等の運搬物が接触して破損するのを防いでいる（図４を参照）。ここで、通常の中仕切りであれば、保護面として、ある程度の強度を有する堅い壁面を利用して運搬物同士が接触することなく安定した運搬を可能にするのが一般的である。
【００２３】
しかしながら、このような堅い壁面を有する構造では中仕切りが邪魔になってしまい、コンテナを折り畳むことが出来ない。そこで本実施形態における中仕切り１０は、第１中枠１４と第２中枠１６のそれぞれが有する収納口２０は、柔軟性を有する保護面２２を備えている。保護面２２は、例えば、布、スポンジ、網、紙、ゴム、不織布などのいずれかを含むことが好ましく、特に好ましくは布を含むことが好適である。そして、図１に示すように保護面２２のうちの一番外側に位置する保護面（最外側面）の垂直方向における略中央部分には、最外側面を囲むように伸縮自在な伸縮収納ゴム３２が設けられている。そしてこの伸縮収納ゴム３２は、中仕切り１０を使用している時（折り畳まれていない時）は、基本的には少し伸びた状態となっている。
【００２４】
ここで、本実施形態における中仕切り１０の折り畳み方について説明する。図５には本実施形態に係る中仕切り１０の収納方法についての概略説明図を示す。中仕切り１０は、中枠以外は全て柔軟性を有するもので構成されていることから、固定紐１２と中枠１４と中枠１６とを中枠（中枠１４と中枠１６）の面方向に対して略垂直方向に押して密着させることで、図５に示すように上下方向に折り畳まれることとなる。具体的には、固定紐１２を第１中枠１４と第２中枠１６の方向（上下方向）へと押す。この時、固定紐１２と中枠（中枠１４と中枠１６）とを押した方向（上下方向）に対して略垂直方向に伸縮収納ゴム３２が収縮することとなる。その結果、固定紐１２と中枠（中枠１４と中枠１６）は押された方向に密着するとともに、伸縮収納ゴム３２の収縮する力によって保護面２２は中仕切り１０の内側へと収納され、略板状に折り畳まれた中仕切り１０となるのである。また、保護面２２の柔軟性を調整して（柔軟性が高く、柔らかい保護面２２を利用して）、中仕切り１０を地面やテーブルの上に置くことで、重力によって固定紐１２と中枠（中枠１４と中枠１６）とが密着し、図５に示すように折り畳まれる構成とすることも出来る。
【００２５】
このように、本実施形態における中仕切り１０は、固定紐１２（１２ａ、１２ｂ）と第１中枠１４と第２中枠１６を備え、該第１中枠１４と第２中枠１６の間には柔軟性を有する保護面２２を有し、さらに最も外側に位置する保護面２２の略中央部分に伸縮収納ゴム３２を設けることで、固定紐１２と中枠（中枠１４と中枠１６）が密着されるとともに伸縮収納ゴム３２によって保護面２２が当該中仕切り１０の内側へと収納されて略板状にコンパクトになるので、折り畳み式のコンテナを折り畳んだ際の隙間等に中仕切り１０を収納することが可能となる。
【００２６】
＜第２実施形態＞
次に本発明の第２実施形態に係る中仕切りについて説明する。図６には本発明に係る第２実施形態における中仕切り１１０の概略図を示す。同図に示す中仕切り１１０は、固定枠１４０と、該固定枠１４０の下側に位置する第１中枠１１４と、該第１中枠１１４の下側に位置する第２中枠１１６と、該第２中枠１１６の下側に位置する第３中枠１１８と、を備えている。ここで、本実施形態における中仕切り１１０は中枠を３段備えているが、コンテナ用の中仕切りとして機能を果たせれば良く、例えば第１実施形態と同様に中枠が２段であっても、または４段以上であっても構わない。また、固定枠１４０と第１中枠１１４は固定枠接続紐１２６で接続されている。そして、第１中枠１１４と第２中枠１１６とは第１接続紐１２８で接続されており、第２中枠１１６と第３中枠１１８とは第２接続紐１３０で接続されている。本実施形態におけるコンテナ用中仕切り１１０の基本的な構造は第１実施形態における中仕切り１０と同様であるため、すでに第１実施形態で説明した内容については説明を省略する。
【００２７】
本実施形態において特徴的なところは、固定手段として固定紐１２（１２ａ、１２ｂ）ではなく固定枠１４０を備えているところである。また、第１実施形態の中仕切り１０では、第１中枠１４の有する収納口２０と第２中枠１６の有する収納口２０の間には柔軟性を有する保護面２２を設けていたが、本実施形態における中仕切り１１０では、保護面２２は設けておらず、運搬物であるビン類同士の接触を防ぐために保護面２２の代わりに収納口１２０の一部に緩衝材１４２を備えているところである。
【００２８】
はじめに、固定枠１４０によるコンテナへの固定方法について説明する。図７には本実施形態に係るコンテナ用中仕切りのコンテナへの固定方法の概略説明図を示す。固定枠１４０は、略矩形型の形状であり、コンテナ５０の開口面と同等の大きさを有している。そして、コンテナ５０の開口面に対して略垂直方向（図７の矢印の方向）に中仕切り１１０を挿入する。第１中枠１１４と第２中枠１１６と第３中枠１１８はコンテナ５０の内部に入る大きさであり、且つ、コンテナ５０の内部形状と同じ略矩形型であることから、コンテナ５０の内部にぴったりと収まる（図８を参照）。つまり、図８に示すように本実施形態における中仕切り１１０は、固定枠１４０をコンテナ５０の開口面に載置することで固定される構造となっている。
【００２９】
また、図示を省略するが固定枠１４０の形状を、コンテナ５０の開口面よりも小さく中枠（第１中枠１１４、第２中枠１１６、第３中枠１１８）よりも大きい形状とすることで、図７に示されるコンテナ５０の開口面から少し下の部分に専用のフックを設けて、固定枠１４０を前記フックに引っ掛けることで当該中仕切り１１０をコンテナ５０に固定することも可能である。この専用フックは、固定枠１４０をコンテナ５０に固定出来れば良く（当該中仕切り１１０をコンテナ５０に固定出来れば良く）、例えば、コンテナ５０の開口面下部の内壁部分に、専用フックを４ヶ所ないし１６ヶ所程度設けることで固定枠１４０をしっかりと固定することができる。
【００３０】
ところで、本実施形態における中仕切り１１０の中枠（１１４、１１６、１１８）が有する緩衝材１４２は必ずしも収納口１２０の全体に備えている必要はなく、本実施形態では略四角型の収納口１２０のワイヤー線の中央部分のみに緩衝材１４２を備えている。このような構成であっても、十分にビン類などの接触を防ぐことが可能である。また、緩衝材１４２は、例えば、布、スポンジ、網、紙、ゴム、不織布などのいずれかを含むことが好ましく、特に好ましくはスポンジを含むことが好適である。また、緩衝材１４２はビン類同士の接触を防げれば良く、例えば緩衝材１４２の厚さが１．０ｍｍから４．０ｍｍであることが好適である。そして図９には、運搬物（飲料用のビン類）を収納口１２０に収納した際の概略イメージ図を示す。図９に示すように、それぞれの収納口１２０の中央に位置する緩衝材１４２がビン類と接触することで、隣同士に位置するビン類同士の接触を防ぎ破損を防止しているのがわかる。
【００３１】
このように、第２実施形態の中仕切り１１０では、中仕切りに壁面（保護面）を設けなくても、ビン類同士の接触を防ぐことが出来る。また、中仕切り１１０は保護面２２を備えていないため、第１実施形態の中仕切り１０に比べて収納性をさらに向上させることが出来る。また、中仕切り１１０は、基本的には第１実施形態の中仕切り１０と同じ構成なので、上下方向を圧縮することで、略板状に折り畳むことができ、折り畳み式のコンテナを折り畳んだ際の隙間等に中仕切り１１０を収納することが可能となる。また、固定枠１４０の形状をコンテナ５０の開口面よりも大きい形状とすることで、簡単に中仕切り１１０をコンテナ５０に設置することができ、また、折り畳み式のコンテナを折り畳んだ際の大きさと当該中仕切り１１０を折り畳んだ際の大きさが同等となることから、折り畳まれたコンテナと重ねて収納することが可能となる。
【００３２】
＜第３実施形態＞
次に本発明に係るコンテナ用中仕切りの第３実施形態について説明する。図１０に示す本実施形態におけるコンテナ用中仕切り２１０の基本的な構造は第１実施形態における中仕切り１０および第２実施形態における中仕切り１１０と同様であるため、すでに記載した内容については説明を省略する。図１０には本発明に係る第３実施形態における中仕切り２１０の概略図を示す。同図に示す中仕切り２１０は、固定枠２４０と、該固定枠２４０の下側に位置する第１中枠２１４と、該第１中枠２１４の下側に位置する第２中枠２１６と、該第２中枠２１６の下側に位置する第３中枠２１８と、を備えている。ここで、本実施形態における中仕切り２１０は中枠を３段備えているが、コンテナ用の中仕切りとして機能を果たせれば良く、例えば第１実施形態と同様に中枠が２段であっても、あるいは中枠が４段以上であっても構わない。また、固定枠２４０と第１中枠２１４は固定枠接続紐２２６で接続されている。そして第１中枠２１４と第２中枠２１６は第１接続紐２２８で接続されており、第２中枠２１６と第３中枠２１８は第２接続紐２３０で接続されている。
【００３３】
本実施形態における中仕切り２１０は、該中仕切り２１０が備える中枠（第１中枠２１４、第２中枠２１６、第３中枠２１８）が複数の穴があいた穿孔板である点において第２実施形態の中仕切り１１０と異なる。
【００３４】
はじめに本実施形態の中枠について説明する。図１０に示すように、本実施形態における中枠は穿孔板であり、それぞれの中枠（第１中枠２１４、第２中枠２１６、第３中枠２１８）が有する収納口２２０の形状は、略円型である。また、収納口はビン類等を所定位置に配置させることが出来れば良く、矩形型等の他の形状であっても構わない。また本実施形態における略円型の収納口２２０の大きさは、直径４ｃｍから１５ｃｍ程度であることが好適であり、より好ましくは、５ｃｍから１０ｃｍであることが好適である。また穿孔板の厚さは０．３ｍｍから３．０ｍｍ程度であることが好適であり、特に好ましくは１．０ｍｍから２．０ｍｍであることが好適である。また穿孔板の材質は、軽くて丈夫な材質のものであればよく、例えば、プラスチック、木、紙、金属などのいずれかを含むことが好ましく、特に好ましくはプラスチックを含むことが好適である。
【００３５】
そして図１１には、運搬物（飲料用のビン類）を収納口２２０に収納した際の概略イメージ図を示す。図１１に示すように、穿孔板である中枠（２１４、２１６、２１８）の有する収納口２２０にビン類がぴったりと収納されることで、隣同士に位置するビン類同士の接触を防ぎ破損を防止しているのがわかる。
【００３６】
また、図１２に示すように、中枠に収納されたビン類の上部に、補助穿孔板２４４を設けることで、コンテナ内におけるビン類等をさらに強固な固定とすることができ、ビン類同士の接触を防止することが出来る。そして、図１３には本発明の第３実施形態に係る中仕切り２２０に使用する補助穿孔板２４４の概略図を示す。補助穿孔板２４４は、前述した穿孔板と同様に軽くて丈夫な材質のものであればよく、例えば、プラスチック、木、紙、金属などのいずれかを含むことが好ましく、特に好ましくはプラスチックを含むことが好適である。また、補助穿孔板２４４は、運搬物の種類や大きさに応じて適宜材質の異なるものを用意して使用するようにしてもよい。図１３に示すように補助穿孔板２４４は穿孔板である中枠の有する略円型の収納口２２０よりも直径が小さく、且つ、収納口２２０の中央部分に位置する補助円型口２４６を有している。このように中枠が有する収納口２２０の中央位置に該収納口２２０よりも小さな補助円型口２４６を有することで、実際にビン類等を収納口２２０に収納した際にビン類の上部位置にぴったりと挿入され、ビン類を固定することが出来る。
【００３７】
そして、中仕切り２１０は、前述したとおり基本的には第１実施形態の中仕切り１０および第２実施形態の中仕切り１１０と同じ構成なので、上下方向を圧縮することで、略板状に折り畳むことができ、折り畳みコンテナを折り畳んだ際の隙間等に中仕切り２１０を収納することが可能となる。
【００３８】
＜第４実施形態＞
図１４には本発明に係る第４実施形態の中仕切りの概略図を示す。同図に示す中仕切り３１０は、固定枠３４０と、該固定枠３４０の下側に位置する第１中枠３１４と、該第１中枠３１４の下側に位置する第２中枠３１６と、該第２中枠３１６の下側に位置する第３中枠３１８と、を備えている。ここで、本実施形態における中仕切り３１０は中枠を３段有しているが、コンテナ用の中仕切りとして機能を果たせれば良く、例えば第１実施形態と同様に中枠が２段であっても、または４段以上であっても構わない。また、固定枠３４０と第１中枠３１４は固定枠接続紐３２６で接続されている。そして、第１中枠３１４と第２中枠３１６とは第１接続紐３２８で接続されている。
【００３９】
このように、本実施形態における中仕切り３１０は、第１実施形態における保護面２２や、第２実施形態における緩衝材１４２を備えておらず、また、第３実施形態における穿孔板のような形状でもないシンプルな構造となっている。このような中仕切り３１０の構造でも運搬物の種類によっては、運搬物同士の接触を防ぎ、十分な中仕切りとして機能を発揮するのである。また、本実施形態における中仕切り３１０の収納口３２０のワイヤー線の太さは１．０ｍｍから４．０ｍｍであることが好ましく、特に好ましくは２．０ｍｍから３．０ｍｍであることが好適である。このように収納口３２０のワイヤー線の太さを他の実施形態における中仕切りのワイヤー線の太さよりも太くすることで、運搬物同士の接触を防ぐことが出来る。
【００４０】
以上のように本発明に係る中仕切りは、固定手段と少なくとも２段の略矩形板状の中枠を備え、該中枠にはビン類などの運搬物を所定の位置に配置するとともに運搬物同士の接触を防ぐための２以上の収納口を備えることで、コンテナを折り畳む際に、中仕切りも容易に板状に折り畳むことができるとともに前記コンテナ内に収納可能であり、且つ、ビン類等を運搬する際にも使用できる折り畳み式のコンテナ用中仕切りが実現できる。そして中枠に保護面を設け、あるいは緩衝材や穿孔板等を利用することで、さらに運搬に適した中仕切りとしての効果が発揮できるとともにコンパクトに折り畳みが可能な中仕切りを実現することができる。
【符号の説明】
【００４１】
１０    １１０    ２１０    ３１０    コンテナ用中仕切り
１２                                  固定紐
１４    １１４    ２１４    ３１４    第１中枠
１６    １１６    ２１６    ３１６    第２中枠
１１８    ２１８    ３１８    第３中枠
２０    １２０    ２２０    ３２０    収納口
２２                                  保護面
２４                                  調整ストッパー
１２６    ２２６    ３２６    固定枠接続紐
２８    １２８    ２２８    ３２８    第１中枠接続紐
１３０    ２３０              第２中枠接続紐
３２                                  伸縮収納ゴム
１４０    ２４０    ３４０    固定枠
１４２                        緩衝材
５０                                  コンテナ
５２                                  第１突起物
５４                                  第２突起物
５６                                  第３突起物
５８                                  第４突起物
２４４              補助穿孔板
２４６              補助円型口
【図１】
2018012520.tif 000003
【図２】
2018012520.tif 000004
【図３】
2018012520.tif 000005
【図４】
2018012520.tif 000006
【図５】
2018012520.tif 000007
【図６】
2018012520.tif 000008
【図７】
2018012520.tif 000009
【図８】
2018012520.tif 000010
【図９】
2018012520.tif 000011
【図１０】
2018012520.tif 000012
【図１１】
2018012520.tif 000013
【図１２】
2018012520.tif 000014
【図１３】
2018012520.tif 000015
【図１４】
2018012520.tif 000016